(57)【要約】【課題】視度差を調整した後に視度が変わることを防止する。【解決手段】視度差の調整を行なった後、フォーカスノブ４０を押し込むことでフォーカスノブ４０で操作つまみ部５３ｂを覆い、操作つまみ部５３ｂに誤って手が触れないようにした。【選択図】図１
2008170713.tif 000002
【特許請求の範囲】
【請求項１】
望遠鏡光学系を構成する左右の鏡筒と、
視度を調整する視度調整機構と、
前記視度調整機構に操作力を与える視度調整環と、
前記視度調整環の操作を有効にするか、又は無効にするかを規制する視度調整環操作規制手段と
を備えていることを特徴とする双眼鏡。
【請求項２】
前記視度調整環は、円筒状の操作部本体と、この本体の一端部に設けられた操作つまみ部とを有し、
前記視度調整環操作規制手段は、前記視度調整環と同軸上に配置され、軸に沿って移動して前記操作つまみ部の少なくとも一部を覆うことができることを特徴とする請求項１記載の双眼鏡。
【請求項３】
前記視度調整環操作規制手段は、フォーカス操作部であることを特徴とする請求項１記載の双眼鏡。
【請求項４】
前記視度調整環操作規制手段は前記フォーカス操作部を光軸方向の複数の任意の位置に保持可能な位置保持機構を有していることを特徴とする請求項３記載の双眼鏡。
【請求項５】
前記位置保持機構はクリック機構であることを特徴とする請求項４記載の双眼鏡。
【請求項６】
前記両鏡筒を連結し、前記左右の各鏡筒から延設され、その各々の内部には前記左右の鏡筒内の合焦レンズを光軸方向に移動させるためのフォーカス機構が設けられた連結部を有することを特徴とする請求項１記載の双眼鏡。
【発明の詳細な説明】
【技術分野】
【０００１】
この発明は双眼鏡に関する。
【背景技術】
【０００２】
従来、双眼鏡は、２つの望遠光学系を構成する左右の鏡筒の他に、焦点調整機構、視度差調整機構等の種々の調整機構を有している。そして、視度差調整機構によって使用者の左右の眼の視度差を調整し、視度差を調整した状態で焦点調整機構によって左右の望遠光学系の焦点合わせを行う。一度左右の視度差の調整を行えば、使用者が変わらない限り、観察対象が変わっても同時に２つの望遠光学系の焦点合わせを行うだけで観察することができる。
【特許文献１】実用新案登録第２５９２７１７号公報
【発明の開示】
【発明が解決しようとする課題】
【０００３】
しかし、双眼鏡の使用中に誤って一度調整された視度差調整機構の操作部に触れると視度差が狂うおそれがある。視度差が狂うと、再度左右の眼の視度差の調整を行なわなければならず、観察の中断を余儀なくされる。
【０００４】
この発明はこのような事情に鑑みてなされたもので、その課題は、視度差を調整した後に視度が変わることを防止することができる。
【課題を解決するための手段】
【０００５】
前述の課題を解決するため請求項１記載の発明は、望遠鏡光学系を構成する左右の鏡筒と、視度を調整する視度調整機構と、前記視度調整機構に操作力を与える視度調整環と、前記視度調整環の操作を有効にするか、又は無効にするかを規制する視度調整環操作規制手段とを備えていることを特徴とする。
【発明の効果】
【０００６】
この発明によれば、視度差を調整した後に視度が変わることを防止することができる。
【発明を実施するための最良の形態】
【０００７】
以下この発明の実施の形態を図面に基づいて説明する。
【０００８】
図１はこの発明の一実施形態に係る双眼鏡の破断面を示す概念図、図２は図１の部分拡大図、図３はリード環オスを内歯車側から見た図、図４はフォーカスノブを平歯車側から見た図、図５は双眼鏡の破断面を示す概念図である。なお、図１はフォーカスノブ４０を押し込んだときの状態を示し、図２はフォーカスノブ４０を引き出したときの状態を示し、図５はフォーカスノブ４０が中間位置にあるときの状態を示す。
【０００９】
この双眼鏡は望遠鏡光学系を構成する左右の鏡筒１０，２０と両鏡筒１０，２０を連結する連結部３０とフォーカス機構に操作力を与えるフォーカスノブ４０とを備えている。
【００１０】
左右の鏡筒１０，２０は眼幅調整できるように機軸ＭＡを中心としてそれぞれ所定角度回転可能である。右の鏡筒１０は合焦レンズ１１と正立プリズム１２とを有している。また、左の鏡筒２０は合焦レンズ２１と正立プリズム（図示せず）とを有している。
【００１１】
合焦レンズ１１を保持する合焦レンズ枠１３は連結ピン１４を介して第１のフォーカス棒５１に連結されている。第１のフォーカス棒５１はフォーカス軸ＦＡ（図１参照）に沿って移動可能である（軸回転はできない）。フォーカス軸ＦＡと光軸Ｌ１，Ｌ２とは並行である。第１のフォーカス棒５１にはめねじ５１ａが形成され、第２のフォーカス棒５２の一端に形成されたおねじ５２ａがめねじ５１ａに螺合している。
【００１２】
第２のフォーカス棒５２はフォーカス軸ＦＡに沿って移動可能であるとともに、フォーカス軸ＦＡを中心として回転可能である。第１のフォーカス棒５１と第２のフォーカス棒２との螺合量に応じて第１のフォーカス棒５１、合焦レンズ枠１３の光軸Ｌ１，Ｌ２方向の相対位置が決まる。第２のフォーカス棒５２、第１のフォーカス棒５１、連結ピン１４及び合焦レンズ枠１３で視度調整機構が構成される。
【００１３】
第２のフォーカス棒５２の他端には歯車５２ｂが形成されている。この歯車５２ｂは視度調整環５３（操作部本体５３ｃ）の内側に形成された内歯車５３ａと噛み合っている。視度調整環５３は円筒状の操作部本体５３ｃと、この本体５３ｃの一端部に設けられた操作つまみ部５３ｂとを有する。視度調整環５３は機軸ＭＡを中心として回転可能であるが、光軸Ｌ１，Ｌ２方向へ移動することはできない。
【００１４】
なお、左の第２のフォーカス棒５２の他端には歯車が形成されていない。したがって、左の第２のフォーカス棒５２の他端は視度調整環５３の内側に形成された内歯車５３ａと噛み合っていない。
【００１５】
また、第２のフォーカス棒５２の他端には円周方向へ延びる溝５２ｃが形成されている。この溝５２ｃにはリード環メス５４の凸部５４ａが係合している。リード環メス５４は光軸Ｌ１，Ｌ２方向へ移動できるが、機軸ＭＡを中心として回転できない。
【００１６】
リード環メス５４のリードねじ５４ｂはリード環オス５５のリードねじ５５ｂに噛み合っている。リード環オス５５は光軸Ｌ１，Ｌ２方向へ移動できないが、機軸ＭＡを中心としてリード環メス５４の内側で回転できる。リード環オス５５の端面には外周に歯車５６ａが形成された平歯車５６が設けられている（図３参照）。リード環オス５５は中間筒５７に固定されている。
【００１７】
視度調整環５３の操作を規制する視度調整環操作規制手段として、この実施形態では、フォーカスノブ４０及び回転軸４１で構成されるフォーカス操作部が採用されている。フォーカスノブ４０は視度調整環５３と同軸上に配置されている。フォーカスノブ４０は、中間筒５７に回転可能であるとともに、中間筒５７に光軸Ｌ１，Ｌ２方向へ移動可能に支持された回転軸４１に一体的に設けられている。したがって、フォーカスノブ４０は機軸ＭＡを中心として回転可能であるとともに、光軸Ｌ１，Ｌ２方向へ移動可能である。回転軸４１の先端部には抜け止め用のねじ４２が螺合している。
【００１８】
フォーカスノブ４０には平歯車５６の歯車５６ａと噛み合う歯車５８ａを有する内歯車５８が設けられている（図４参照）。フォーカスノブ４０を機軸ＭＡに沿って移動させることによって平歯車５６と内歯車５８とを噛み合わせたり、噛み合わせを解除したりすることができる。
【００１９】
中間筒５７の内周面には複数（３箇所）の凹部５７ａが形成されており、回転軸４１の外周面に設けられた凹部（溝部）にはめ込まれたＯリング４１ａを凹部５７ａに落ち込ませることができる。凹部５７ａとＯリング４１ａとでクリック機構（位置保持機構）が構成される。このクリック機構によって、フォーカスノブ４０を光軸方向の３つの位置で位置決めすることができる。
【００２０】
次に、この双眼鏡のピント調整の手順を説明する。なお、眼幅調整は既に行われているものとする。
【００２１】
まず、使用者の左右の視度差の調整を行うためにフォーカスノブ４０を引き出して平歯車５６と内歯車５８との噛み合わせを解除する（図２参照）。このとき、左右の合焦レンズ１１，２１を動かすためのリード環オス５５とフォーカスノブ４０とが連結状態にないので、フォーカスノブ４０を回転させたとしてもリード環オス５５は回転せず、合焦レンズ１１，２１は移動しない。
【００２２】
平歯車５６と内歯車５８との噛み合わせを解除したとき、操作つまみ部５３ｂは露出している。操作つまみ部５３ｂを操作すると、視度調整環５３が回転する。視度調整環５３の回転力は内歯車５３ａ、歯車５２ｂを介して第２のフォーカス棒５２に伝わり、第２のフォーカス棒５２が回転する（第２のフォーカス棒５２はリード環メス５４との係合によって光軸方向の移動が規制されている）。このときの第１のフォーカス棒５１と第２のフォーカス棒５２との螺合量に応じて第１のフォーカス棒５１、合焦レンズ枠１３が光軸Ｌ１，Ｌ２方向へ移動する。その結果、使用者の左右の眼の視度差が調整される。
【００２３】
その後、ピント合わせのために合焦レンズ１１，２１を移動させる。
【００２４】
まず、図２に示す状態からフォーカスノブ４０を押し込んで平歯車５６と内歯車５８とを噛み合わせる（図１参照）。また、フォーカスノブ４０とリード環オス５５とは平歯車５６と内歯車５８とを介して連結される。このとき、操作つまみ部５３ｂはフォーカスノブ４０で完全に覆われているので、誤って操作つまみ部５３ｂに触れることがなく、先に設定した視度差が変わってしまうことがない。
【００２５】
フォーカスノブ４０を回転させると、リード環オス５５が回転し、リード環メス５４が光軸方向へ移動する。リード環メス５４の光軸Ｌ１，Ｌ２方向への移動によって左右の第２のフォーカス棒５２と第１のフォーカス棒５１と合焦レンズ枠１３とが一体的に光軸Ｌ１，Ｌ２方向へ移動する。このとき、第２のフォーカス棒５２は回転しないので、第１のフォーカス棒５１と第２のフォーカス棒５２とを合わせた光軸Ｌ１，Ｌ２方向の相対距離は変わらない。
【００２６】
その結果、合焦レンズ１１，２１が光軸Ｌ１，Ｌ２方向へ移動し、観察対象に対して同時に左右の望遠光学系のピント合わせが行われる。
【００２７】
この実施形態によれば、視度差の調整を行った後、フォーカスノブ４０は押し込まれて操作つまみ部５３ｂを触れることができないようになるので、視度差を調整した後に視度が変わることを防止することができる。また、クリック機構を採用したので、フォーカスノブ４０を所定の位置に確実に保持することができる。
【００２８】
なお、図５に示すようにフォーカスノブを中間位置としたときにも、操作つまみ部５３ｂの一部がフォーカスノブ４０によって覆われるので、誤って操作つまみ部５３ｂに触れ難くなり、視度差を調整した後に視度が変わることを防止することができる。
【００２９】
また、上記実施形態では視度調整環操作規制手段としてフォーカスノブ４０を用いたが、視度調整環操作規制手段としてフォーカスノブ４０とは異なる別部材（図示せず）を用いて操作つまみ部５３ｂを覆い、誤って操作つまみ部５３ｂに触れることがないようにしてもよい。
【００３０】
また、視度調整機構が回転軸を有する場合、回転軸の回転をロックするロック機構を具えるものでもよい。このロック機構として、回転軸を把持部材で挟み込み、回転軸の回転を阻止するものでもよい。
【００３１】
更に、フォーカス操作部も具える場合、フォーカス操作部を視度調整機構と同軸上に設け、フォーカス操作部の軸方向の移動により、視度調整機構の軸回転を阻止するものでもよい。
【００３２】
また、本実施の形態では、視度調整機構、フォーカス機構を連結部３０に設けたが、これらを設ける位置は連結部３０に限定されるものではなく、鏡筒１０，２０又はその周辺でもよい。
【図面の簡単な説明】
【００３３】
【図１】図１はこの発明の一実施形態に係る双眼鏡の破断面を示す概念図である。
【図２】図２は図１の部分拡大図である。
【図３】図３はリード環オスを内歯車側から見た側面図である。
【図４】図４はフォーカスノブを平歯車側から見た側面図である。
【図５】図５は双眼鏡の破断面を示す概念図である。
【符号の説明】
【００３４】
１０，２０：鏡筒、１３：合焦レンズ枠、１４：連結ピン、３０：連結部、４０：フォーカスノブ（フォーカス操作部）、４１：回転軸、４１ａ：Ｏリング、５３：視度調整環、５３ｂ：操作つまみ部、５３ｃ：操作部本体、５７ａ：凹部。
【図１】
2008170713.tif 000003
【図２】
2008170713.tif 000004
【図３】
2008170713.tif 000005
【図４】
2008170713.tif 000006
【図５】
2008170713.tif 000007